(57)【要約】【課題】使用者の姿勢や身長に影響されることなく、使い勝手がよい吐水装置を提供する。【解決手段】吐水装置１は吐水部１１と、吐水部１１からの吐水状態を操作する操作部１５Ｂを表示するとともに、操作部１５Ｂの表示位置が移動するディスプレイ１５とを備えている。【選択図】図１
2020141844.tif 000002
【特許請求の範囲】
【請求項１】
吐水部と、
前記吐水部からの吐水状態を操作する操作部を表示するとともに、前記操作部の表示位置が移動するタッチパネルと、
を備えている吐水装置。
【請求項２】
前記タッチパネルは、前記吐水部からの吐水状態を表示する表示部を表示するとともに、前記表示部の表示位置が移動する請求項１に記載の吐水装置。
【請求項３】
使用者の身長を検出するセンサを備えており、
前記センサの検出結果に基づき前記操作部の表示位置が移動する請求項１又は２に記載の吐水装置。
【請求項４】
前記操作部の表示位置を上方に移動させる第１操作部を備えている請求項１から３のいずれか１項に記載の吐水装置。
【請求項５】
前記操作部を操作不能にする第２操作部を備えている請求項１から４のいずれか１項に記載の吐水装置。
【発明の詳細な説明】
【技術分野】
【０００１】
本発明は、吐水装置に関する。
【背景技術】
【０００２】
特許文献１には操作パネルを備えたシャワー装置が開示されている。このシャワー装置は、操作パネルを操作することによって吐水する湯水の流量を調整することができる。
【先行技術文献】
【特許文献】
【０００３】
【特許文献１】特開２０１０−１８８０４５号公報
【発明の概要】
【発明が解決しようとする課題】
【０００４】
しかし、特許文献１のシャワー装置は、操作パネルの位置を変更することができない。このため、特許文献１のシャワー装置は、使用者の姿勢や、身長によって、操作パネルの表示が見難い場合が起こり得る。
【０００５】
本発明は、上記従来の事情に鑑みてなされたものであって、使用者の姿勢や身長に影響されることなく、使い勝手のよい吐水装置を提供することを解決すべき課題としている。
【課題を解決するための手段】
【０００６】
本発明の吐水装置は、吐水部と、
前記吐水部からの吐水状態を操作する操作部を表示するとともに、前記操作部の表示位置が移動するタッチパネルと、
を備えている。
【０００７】
この吐水装置は操作部の表示位置が移動するため、使用者の使い易い位置に操作部の表示位置を移動させることができる。
【０００８】
したがって、この吐水装置は使用者の姿勢や身長に影響されることなく、使い勝手がよい。
【図面の簡単な説明】
【０００９】
【図１】図１は、実施例１の吐水装置の外観を示す斜視図であり、操作部、表示部、及び第１操作部がディスプレイの上端部に表示された状態を示す。
【図２】図２は、実施例１の吐水装置の外観を示す斜視図であり、操作部、表示部、及び第１操作部がディスプレイの上下中央部に表示された状態を示す。
【図３】図３は、実施例１の吐水装置の外観を示す斜視図であり、操作部、表示部、及び第１操作部がディスプレイの下端部に表示された状態を示す。
【図４】図４は、実施例１の吐水装置の外観を示す斜視図であり、操作部、表示部、及び第１操作部が表示されない非表示状態を示す。
【発明を実施するための形態】
【００１０】
本発明における好ましい実施の形態を説明する。
【００１１】
本発明の吐水装置のタッチパネルは、吐水部からの吐水状態を表示する表示部を表示するとともに、表示部の表示位置が移動し得る。この場合、操作部を操作する使用者の手指と表示部とを視線を大きく変更することなく見ることができるため、視認し易い。
【００１２】
本発明の吐水装置は、使用者の身長を検出するセンサを備えており、センサの検出結果に基づき操作部の表示位置が移動し得る。この場合、操作部の表示位置を各使用者の見易い位置に移動することができる。
【００１３】
本発明の吐水装置は、操作部の表示位置を上方に移動させる第１操作部を備え得る。この場合、第１操作部を操作することによって、子供が操作部をむやみに操作することを防止することができる。
【００１４】
本発明の吐水装置は、操作部を操作不能にする第２操作部を備え得る。この場合、第２操作部を操作することによって、子供が操作部をむやみに操作することを防止するとともに、意図しない操作を使用者がしてしまうことも防止することができる。
【００１５】
次に、本発明の吐水装置を具体化した実施例１について、図面を参照しつつ説明する。
【００１６】
＜実施例１＞
＜吐水装置の全体構成＞
吐水装置１は、図１に示すように、吐水装置本体１０、吐水部１１、タッチパネルであるディスプレイ１５、及びセンサ１５Ｍ，１５Ｎを備えている。
吐水装置本体１０は、上下方向（上下は、図１における上側下側である）に長い直方体状をなしており、浴室の壁面に取り付けられる。
吐水部１１は吐水管１８、オーバーヘッドシャワー吐水部１２、ハンドシャワー吐水部１３、ボディーシャワー吐水部１４を有している。
吐水管１８は、吐水装置本体１０の下端に設けられ、先端に吐水口１８Ａを有している。吐水管１８は、所謂、カランである。
【００１７】
オーバーヘッドシャワー吐水部１２は、吐水装置本体１０の前面（前後は、図１における手前側奥側である）の上端部に設けられている。
ハンドシャワー吐水部１３は、吐水装置本体１０の左側（左右は、図１における左側右側である）に設けられたフック１０Ａに着脱自在に係止され、吐水装置本体１０とホース１３Ａを介して接続されている。
ボディーシャワー吐水部１４は、吐水装置本体１０前面の左右縁部のそれぞれに沿うように複数が設けられ、湯水を霧状（ミスト状）に吐水する。
【００１８】
ディスプレイ１５は、タッチパネルの機能を備えた液晶表示装置等で構成されており、吐水装置本体１０の前面に上下方向に伸びて設けられている。ディスプレイ１５は、制御部（図示せず）によって動作が制御される。ディスプレイ１５の上端部にはモニタ部１５Ａが設けられている。モニタ部１５Ａにはリビング等の居室に設けられたカメラ（図示せず）が撮像した現在の居室の映像が制御部を介して表示され得る構成とされている。これにより、吐水装置１の使用者は、浴室に居ながら、居室にいる子供やペット等の様子を把握することができる。
【００１９】
また、ディスプレイ１５には、操作部１５Ｂ、表示部１５Ｃ、及び第１操作部１６が表示される。
操作部１５Ｂ、表示部１５Ｃ、及び第１操作部１６は、後述するセンサ１５Ｍ，１５Ｎから制御部に入力される接近信号、及び非接近信号に基づいて、ディスプレイ１５の下端部、上下中央部、又は上端部であってモニタ部１５Ａの下側に隣合う位置の３か所に表示する位置を変更することができる。
操作部１５Ｂは、オーバーヘッドシャワー吐水スイッチ１５Ｄ、ハンドシャワー吐水スイッチ１５Ｅ、ボディーシャワー吐水スイッチ１５Ｆ、カラン吐水スイッチ１５Ｇ、吐水温度設定スイッチ１５Ｈ、及び流量設定スイッチ１５Ｊを有している。
オーバーヘッドシャワー吐水スイッチ１５Ｄ、ハンドシャワー吐水スイッチ１５Ｅ、ボディーシャワー吐水スイッチ１５Ｆ、カラン吐水スイッチ１５Ｇのそれぞれには、オーバーヘッドシャワー吐水部１２、ハンドシャワー吐水部１３、ボディーシャワー吐水部１４、及び吐水管１８の簡略化された図形（アイコン）が含まれている。
吐水温度設定スイッチ１５Ｈ、及び流量設定スイッチ１５Ｊのそれぞれには、上向き三角の下側に下向き三角が隣合い配置されたアイコンが含まれている。
【００２０】
各スイッチを操作すると、制御部に各スイッチの操作に対応した信号が入力される。制御部は各スイッチから入力される信号に応じて、吐水装置本体１０内に設けられた湯水の供給路（図示せず）に設けられた開閉弁（図示せず）や、各吐水部に湯水を供給する供給路（図示せず）に設けられた開閉弁（図示せず）の開閉を制御する。これにより、吐水装置１はオーバーヘッドシャワー吐水部１２、ハンドシャワー吐水部１３、ボディーシャワー吐水部１４、又は吐水管１８から湯水を吐水したり、吐水を停止したり、吐水する湯水の温度を変更したり、吐水する流量を変更したりする。
【００２１】
吐水装置１は、オーバーヘッドシャワー吐水スイッチ１５Ｄを操作することによって、オーバーヘッドシャワー吐水部１２から湯水を吐水させたり、吐水を停止させたりすることができる。
吐水装置１は、ハンドシャワー吐水スイッチ１５Ｅを操作することによって、ハンドシャワー吐水部１３から湯水を吐水させたり、吐水を停止させたりすることができる。
吐水装置１は、ボディーシャワー吐水スイッチ１５Ｆを操作することによって、ボディーシャワー吐水部１４から湯水を吐水させたり、吐水を停止させたりすることができる。
吐水装置１は、カラン吐水スイッチ１５Ｇを操作することによって、吐水管１８から湯水を吐水させたり、吐水を停止させたりすることができる。
【００２２】
吐水装置１は、吐水温度設定スイッチ１５Ｈを操作することによって、オーバーヘッドシャワー吐水部１２、ハンドシャワー吐水部１３、ボディーシャワー吐水部１４、又は吐水管１８から吐水する湯水の温度を変更することができる。具体的には、吐水温度設定スイッチ１５Ｈの上向き三角を操作すると、湯水の温度を現在の温度より高くすることができ、下向き三角を操作すると、湯水の温度を現在の温度より低くすることができる。
【００２３】
吐水装置１は、流量設定スイッチ１５Ｊを操作することによって、オーバーヘッドシャワー吐水部１２、ハンドシャワー吐水部１３、ボディーシャワー吐水部１４、又は吐水管１８から吐水する湯水の流量を変更することができる。具体的には、流量設定スイッチ１５Ｊの上向き三角を操作すると、湯水の流量を現在の流量より大きくすることができ、下向き三角を操作すると、湯水の流量を現在の流量より小さくすることができる。
【００２４】
表示部１５Ｃは温度表示部１５Ｋ、及び流量表示部１５Ｌを有している。
温度表示部１５Ｋは吐水温度設定スイッチ１５Ｈの右側に隣合い配置されている。温度表示部１５Ｋは吐水温度設定スイッチ１５Ｈを操作することによって設定されたオーバーヘッドシャワー吐水部１２、ハンドシャワー吐水部１３、ボディーシャワー吐水部１４、又は吐水管１８から吐水する湯水の温度を表示することができる。
【００２５】
流量表示部１５Ｌは流量設定スイッチ１５Ｊの右側に隣合い配置されている。流量表示部１５Ｌは流量設定スイッチ１５Ｊを操作することによって設定されたオーバーヘッドシャワー吐水部１２、ハンドシャワー吐水部１３、ボディーシャワー吐水部１４、又は吐水管１８から吐水する湯水の流量を表示することができる。つまり、ディスプレイ１５は吐水部１１からの吐水状態を表示する表示部１５Ｃを表示する。
【００２６】
第１操作部１６は表示部１５Ｃの下側に隣合う位置のディスプレイ１５に表示されている。第１操作部１６は、例えば、上向きの矢印としてディスプレイ１５に表示される。
操作部１５Ｂ、表示部１５Ｃ、及び第１操作部１６がディスプレイ１５の下端部、又は上下中央部に表示されている場合に第１操作部１６を操作すると、制御部は、操作部１５Ｂ、表示部１５Ｃ、及び第１操作部１６の表示位置をディスプレイ１５の上端部であってセンサ１５Ｍの下側に隣合う位置に移動する。つまり、第１操作部１６は操作部１５Ｂの表示位置を上方に移動させる。また、ディスプレイ１５は、吐水部１１からの吐水状態を操作する操作部１５Ｂを表示するとともに、操作部１５Ｂの表示位置が移動する。ディスプレイ１５は表示部１５Ｃの表示位置が移動する。
【００２７】
センサ１５Ｍ，１５Ｎは、例えば公知の赤外線センサ等で構成されている。センサ１５Ｍはモニタ部１５Ａの下側に隣合い配置されている。センサ１５Ｎはディスプレイ１５のほぼ上下中央に配置されている。
センサ１５Ｍ，１５Ｎは使用者の体の一部が近づくと、制御部に対して使用者の体の一部が近づいたことを示す接近信号を出力する。センサ１５Ｍ，１５Ｎは、近づいた使用者の体の一部がセンサ１５Ｍ，１５Ｎから離れると、制御部に対して使用者の体の一部が離れたことを示す非接近信号を出力する。
【００２８】
また、吐水装置本体１０の右側の側面の下部には第２操作部１７が設けられている。第２操作部１７は、例えば、公知のタクトスイッチ等で構成されている。
第２操作部１７を操作すると、制御部は、操作部１５Ｂ、表示部１５Ｃ、及び第１操作部１６の表示を表示しない非表示状態にする。これにより、操作部１５Ｂ、及び第１操作部１６を操作不能にすることができる。つまり、第２操作部１７は操作部１５Ｂ、及び第１操作部１６を操作不能にする。
【００２９】
＜吐水装置の操作部、及び表示部の表示位置の変化の説明＞
次に、吐水装置１の操作部１５Ｂ、及び表示部１５Ｃのディスプレイ１５における表示位置の変化の一例について図１〜４を参照しつつ説明する。
【００３０】
吐水装置１の正面の前方に使用者が着座して吐水装置１を使用する場合、センサ１５Ｍ，１５Ｎは、制御部に対して非接近信号を出力する。すると、制御部は、操作部１５Ｂ、表示部１５Ｃ、及び第１操作部１６のそれぞれをディスプレイ１５の下端部に表示する（図３参照。）。
このとき、使用者が、第１操作部１６を操作すると、制御部は操作部１５Ｂ、表示部１５Ｃ、及び第１操作部１６のそれぞれをディスプレイ１５の上端部であって、センサ１５Ｍの下側に隣合う位置に表示する（図１参照。）。
【００３１】
吐水装置１の正面の前方に使用者が起立して吐水装置１を使用する場合、センサ１５Ｍ，１５Ｎは、使用者の身長に応じて、制御部に対して、接近信号、又は非接近信号を出力する。
【００３２】
制御部に対してセンサ１５Ｎのみから接近信号が出力されると、制御部は操作部１５Ｂ、表示部１５Ｃ、及び第１操作部１６のそれぞれをディスプレイ１５の上下中央部であって、センサ１５Ｎの下側に隣合う位置に表示する（図２参照。）。
このとき、使用者が、第１操作部１６を操作すると、制御部は操作部１５Ｂ、表示部１５Ｃ、及び第１操作部１６のそれぞれをディスプレイ１５の上端部であって、センサ１５Ｍの下側に隣合う位置に表示する（図１参照。）。
制御部に対してセンサ１５Ｍ，１５Ｎのそれぞれから接近信号が出力されると、制御部は操作部１５Ｂ、表示部１５Ｃ、及び第１操作部１６のそれぞれをディスプレイ１５の上端部であって、センサ１５Ｍの下側に隣合う位置に表示する（図１参照。）。つまり、センサ１５Ｍ，１５Ｎは使用者の身長を検出する。また、操作部１５Ｂの表示位置はセンサ１５Ｍ，１５Ｎの検出結果に基づき移動する。
【００３３】
使用者の着座や起立に関わらず、第２操作部１７を操作すると、操作部１５Ｂ、表示部１５Ｃ、及び第１操作部１６のそれぞれを表示しない非表示状態にする（図４参照。）。
【００３４】
このように、吐水装置１は操作部１５Ｂの表示位置が移動するため、使用者の使い易い位置に操作部１５Ｂの表示位置を移動させることができる。
【００３５】
したがって、吐水装置１は使用者の姿勢や身長に影響されることなく、使い勝手がよい。
【００３６】
吐水装置１のディスプレイ１５は、吐水部１１からの吐水状態を表示する表示部１５Ｃを表示するとともに、表示部１５Ｃの表示位置が移動する。このため、表示部１５Ｃを操作部１５Ｂの表示位置とともに移動させることによって、操作部１５Ｂを操作する使用者の手指と表示部１５Ｃとを視線を大きく変更することなく見ることができるため、視認し易い。
【００３７】
吐水装置１は、使用者の身長を検出するセンサ１５Ｍ，１５Ｎを備えており、センサ１５Ｍ，１５Ｎの検出結果に基づき操作部１５Ｂの表示位置が移動する。このため、操作部１５Ｂの表示位置を各使用者の見易い位置に移動することができる。
【００３８】
吐水装置１は、操作部１５Ｂの表示位置を上方に移動させる第１操作部１６を備えている。このため、第１操作部１６を操作することによって、子供が操作部１６Ｂをむやみに操作することを防止することができる。
【００３９】
吐水装置１は、操作部１５Ｂを操作不能にする第２操作部１７を備えている。このため、第２操作部１７を操作することによって、子供が操作部１５Ｂをむやみに操作することを防止するとともに、意図しない操作を使用者がしてしまうことも防止することができる。
【００４０】
本発明は上記記述及び図面によって説明した実施例１に限定されるものではなく、例えば次のような実施例も本発明の技術的範囲に含まれる。
（１）実施例１では、各スイッチのそれぞれに、オーバーヘッドシャワー吐水部、ハンドシャワー吐水部、ボディーシャワー吐水部、及び吐水管の簡略化された図形（アイコン）が含まれているが、"オーバーヘッドシャワー"、"ハンドシャワー"、"ボディーシャワー"、及び"カラン"等の文字を含む構成としてもよい。
（２）実施例１では、センサが２つ設けられているが、センサの数はこれに限らない。
（３）実施例１では、第１操作部が上向きの矢印としてディスプレイに表示されるが、上向きの矢印でなくてもよく、他の形状であってもよい。
（４）実施例１では、第２操作部が吐水装置本体の右側の側面の下部に設けられているが、この位置に限らず、他の位置に設けてもよい。
【００４１】
今回開示された実施の形態は全ての点で例示であって制限的なものではないと考えられるべきである。本発明の範囲は、今回開示された実施の形態に限定されるものではなく、特許請求の範囲によって示され、特許請求の範囲と均等の意味及び範囲内での全ての変更が含まれることが意図される。
【符号の説明】
【００４２】
１…吐水装置
１１…吐水部
１５…ディスプレイ（タッチパネル）
１５Ｂ…操作部
１５Ｃ…表示部
１６…第１操作部
１７…第２操作部
【図１】
2020141844.tif 000003
【図２】
2020141844.tif 000004
【図３】
2020141844.tif 000005
【図４】
2020141844.tif 000006